【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
アイテムを選択するための方法であって、
グラフィカル表示装置にアイテムを表示するステップと、
表示された前記アイテムのうちの１つまたは複数を選択するために、タッチ入力を受けるステップと、
前記タッチ入力を受ける間に、
ユーザーインターフェース要素を前記グラフィカル表示装置上に表示するステップであって、前記ユーザーインターフェース要素は、前記タッチ入力の変化に応答して更新される最初に選択されたエリアの周りの境界線を示し、前記ユーザーインターフェース要素を表示するステップは、前記タッチ入力および現在選択されているエリアを追うように前記境界線を広げるステップを含む、ステップと、
前記現在選択されているエリアを使用し、潜在的選択である各アイテムを求めるステップであって、前記潜在的選択である各アイテムを求めるステップは、前記アイテムの所定の部分が前記現在選択されているエリア内であるときを求めるステップを含む、ステップと、
前記ユーザーインターフェース要素に加えて、前記潜在的選択を示すアイテム視覚インディケーターを、少なくとも１つのアイテムが前記潜在的選択として求められたときに表示するステップであって、前記ユーザーインターフェース要素に加えて前記視覚インディケーターを表示するステップは、
別のアイテムの選択に応答してジャンプするための境界線が現れることなく、異なる境界線を前記潜在的選択の周りに、前記タッチ入力に応答して表示するステップと、
選択されていないエリアの陰影とは異なる前記潜在的選択のための陰影を表示するステップであって、前記陰影の一部分は前記境界線内であり、前記陰影の一部分は前記境界線外である、ステップと
を含む、ステップと
を含む、方法。
【請求項２】
請求項１に記載の方法であって、前記タッチ入力が終了するときを求めるステップと、前記潜在的選択として求められた前記アイテムの各々を選択するステップとをさらに含む方法。
【請求項３】
請求項１に記載の方法であって、前記グラフィカル表示装置上に前記アイテム視覚インディケーターを表示するステップは、前記潜在的選択を包含するグラフィカルエリアの表示を変更するステップを含む、方法。
【請求項４】
請求項１に記載の方法であって、前記グラフィカル表示装置上に前記アイテムを表示するステップは、行および列で配列されたセルを含むスプレッドシートを表示するステップを含み、前記セルの各々はアイテムである、方法。
【請求項５】
請求項１に記載の方法であって、前記ユーザーインターフェース要素を表示することおよび前記アイテム視覚インディケーターを表示することは、第１の陰影を使用する前記現在選択されているエリアおよび第２の陰影を使用する前記アイテム視覚インディケーターを表示することを含む、方法。
【請求項６】
請求項１に記載の方法であって、前記ユーザーインターフェース要素を表示することおよび前記アイテム視覚インディケーターを表示することは、第１の線種を使用して前記現在選択されているエリアの周りの境界線を表示し、第２の線種を使用して前記アイテム視覚インディケーターを表示することを含む、方法。
【請求項７】
請求項１に記載の方法であって、前記ユーザーインターフェース要素を表示することおよび前記アイテム視覚インディケーターを表示することは、前記アイテムの前記現在選択されているエリアを表す方法でフォーマットされた前記アイテムの一部分を表示することおよび前記アイテム視覚インディケーターとしての第２のフォーマッティングを使用することを含む、方法。
【請求項８】
請求項１に記載の方法であって、前記ユーザーインターフェース要素に加えて前記視覚インディケーターを表示するステップは、
前記現在選択されているエリア内の前記アイテムの前記所定の部分を第１の陰影で表示するステップと、
前記アイテムの残りの部分を前記第１の陰影とは異なる第２の陰影で表示するステップと
を含む、方法。
【請求項９】
請求項１に記載の方法であって、
前記タッチ入力が終了したかを判定するステップと、
前記タッチ入力が終了したとの判定に応答して、前記潜在的選択である各アイテムを現在選択されているアイテムとして選択するステップと
をさらに含む方法。
【請求項１０】
請求項１に記載の方法であって、前記タッチ入力を受けるステップは、前記最初に選択されたエリアの周りの前記境界線をドラッグして、前記最初に選択されたエリアを広げるステップを含む、方法。
【請求項１１】
コンピューター実行可能命令を記憶したコンピューター可読記憶デバイスであって、前記コンピューター実行可能命令は、コンピューターにアイテムを選択するための方法を実行させ、前記方法は、
グラフィカル表示装置にアイテムを表示するステップと、
アイテムを選択するタッチ入力を受けるステップと、
ユーザーインターフェース要素を前記グラフィカル表示装置上に表示するステップであって、前記ユーザーインターフェース要素は、選択された前記アイテムおよび最初に選択されたエリアの周りの境界線を示す、ステップと、
前記最初に選択されたエリアのサイズを調節するタッチ入力を受ける間に、
現在選択されているエリアのサイズ調節を示す前記ユーザーインターフェース要素の表示を更新するステップであって、前記ユーザーインターフェース要素の前記表示を更新するステップは、前記タッチ入力および現在選択されているエリアを追うように前記境界線を広げるステップを含む、ステップと、
前記現在選択されているエリアを使用し、潜在的選択である各アイテムを求めるステップであって、前記潜在的選択である各アイテムを求めるステップは、前記アイテムの所定部分が前記現在選択されているエリア内であるときを求めるステップを含む、ステップと、
前記ユーザーインターフェース要素に加えて、前記潜在的選択を示すアイテム視覚インディケーターを、少なくとも１つのアイテムが前記潜在的選択として求められたときに表示するステップであって、前記ユーザーインターフェース要素に加えて前記視覚インディケーターを表示するステップは、
別のアイテムの選択に応答してジャンプするための境界線が現れることなく、異なる境界線を前記潜在的選択の周りに、前記タッチ入力に応答して表示するステップと、
前記潜在的選択のための陰影を表示するステップであって、前記陰影の一部分は前記境界線内であり、前記陰影の一部分は前記境界線外であり、前記陰影は、前記現在選択されているエリアの陰影とは異なる、ステップと
を含む、ステップと
を含む、コンピューター可読記憶デバイス。
【請求項１２】
請求項１１に記載のコンピューター可読記憶デバイスであって、前記方法は、前記タッチ入力が終了するときを求めるステップと、前記潜在的選択として求められた前記アイテムの各々を選択するステップとをさらに含む、コンピューター可読記憶デバイス。
【請求項１３】
請求項１１に記載のコンピューター可読記憶デバイスであって、前記グラフィカル表示装置上に前記アイテム視覚インディケーターを表示するステップは、前記潜在的選択を包含するグラフィカルエリアの表示を変更するステップを含む、コンピューター可読記憶デバイス。
【請求項１４】
請求項１１に記載のコンピューター可読記憶デバイスであって、前記グラフィカル表示装置上に前記アイテムを表示するステップは、行および列で配列されたセルを含むスプレッドシートを表示するステップを含み、前記セルの各々はアイテムである、コンピューター可読記憶デバイス。
【請求項１５】
請求項１１に記載のコンピューター可読記憶デバイスであって、前記ユーザーインターフェース要素を表示することおよび前記アイテム視覚インディケーターを表示することは、第１の陰影を使用する前記現在選択されているエリアおよび第２の陰影を使用する前記アイテム視覚インディケーターを表示することを含む、コンピューター可読記憶デバイス。
【請求項１６】
請求項１１に記載のコンピューター可読記憶デバイスであって、前記ユーザーインターフェース要素を表示することおよび前記アイテム視覚インディケーターを表示することは、第１の線種を使用して前記現在選択されているエリアの周りの境界線を表示し、第２の線種を使用して前記アイテム視覚インディケーターを表示することを含む、コンピューター可読記憶デバイス。
【請求項１７】
請求項１１から１６のうちの何れか一項に記載のコンピューター実行可能命令を含むプログラム。
【請求項１８】
アイテムを選択するためのシステムであって、
タッチ入力を受けるように構成された表示装置と、
プロセッサおよびメモリーと
前記プロセッサを使用して実行される動作環境と、
選択され得るセルを含むスプレッドシートアプリケーションと、
前記アプリケーションと連動して動作する選択マネージャと
を含み、前記選択マネージャは、
セルを選択するタッチ入力を受け、
ユーザーインターフェース要素を前記表示装置上に表示し、前記ユーザーインターフェース要素は、選択された前記セルおよび最初に選択されたエリアの周りの境界線を示し、
現在選択されているエリアのサイズを調節するタッチ入力を受ける間に、
前記現在選択されているエリアのサイズ調節を示す前記ユーザーインターフェース要素の表示を更新し、
前記現在選択されているエリアを使用し、潜在的選択である各セルを求め、前記潜在的選択である各アイテムを求めることは、前記アイテムの所定部分が前記現在選択されているエリア内であるときを求めることを含み、
現在選択されているエリアを示す前記ユーザーインターフェース要素に加えて、前記潜在的選択を示すアイテム視覚インディケーターを、少なくとも１つのセルが前記潜在的選択として求められたときに前記表示装置上に表示し、前記ユーザーインターフェース要素に加えて前記視覚インディケーターを表示することは、
別のアイテムの選択に応答してジャンプするための境界線が現れることなく、異なる境界線を前記潜在的選択の周りに、前記タッチ入力に応答して表示することと、
前記潜在的選択のための陰影を表示することであって、前記陰影の一部分は前記境界線内であり、前記陰影の一部分は前記境界線外であり、前記陰影は、前記現在選択されているエリアの陰影とは異なる、ことと
を含むように構成された、システム。
【請求項１９】
請求項１７に記載のシステムであって、前記ユーザーインターフェース要素を表示することおよび前記アイテム視覚インディケーターを表示することは、第１の陰影を使用する前記現在選択されているエリアおよび第２の陰影を使用する前記アイテム視覚インディケーターを表示することを含む、システム。
【請求項２０】
請求項１７に記載のシステムであって、前記ユーザーインターフェース要素を表示することおよび前記アイテム視覚インディケーターを表示することは、第１の線種を使用して前記現在選択されているエリアの周りの境界線を表示し、第２の線種を使用して前記アイテム視覚インディケーターを表示することを含む、システム。